(57)【要約】【課題】容易に画像の合成／分離を行うことができ、表示可能な情報量の増大を図るこのできる多重画像表示装置を提供する。【解決手段】多重画像表示装置は、背面側に設けられた背面表示装置１０と、背面表示装置の表示領域に対向して設けられた透過型の表示素子１２と、背面表示装置と表示素子との間に背面表示装置の表示領域および表示素子に対向して設けられた光路制御ユニット１８と、を有している。光路制御ユニットは、光を透過する透過モードと光を拡散する拡散モードとを任意に切換え可能に構成されている。【選択図】図２
2007094038.tif 000002
【特許請求の範囲】
【請求項１】
背面側に設けられた背面表示装置と、
前記背面表示装置の表示領域に対向して設けられた透過型の表示素子と、
背面表示装置と表示素子との間に前記背面表示装置の表示領域および前記表示素子に対向して設けられ、光を透過する透過モードと光を拡散する拡散モードとを任意に制御可能な光路制御ユニットと、
を備えた多重画像表示装置。
【請求項２】
前記表示素子と背面表示装置との間に設けられ、前記表示素子を照明する透明なバックライトを備え、
前記光路制御ユニットは、前記表示素子とバックライトとの間、および前記バックライトと背面表示装置との間のいずれかに設けられている請求項１に記載の多重画像表示装置。
【請求項３】
前記表示素子は、透過型の液晶表示素子を有している請求項１又は２に記載の多重画像表示装置。
【請求項４】
前記光路制御ユニットは前記表示素子に対向した有効領域を有し、前記有効領域全体、および、前記有効領域の一部の任意領域で、前記透過モードと拡散モードとを選択的に制御する制御部を備えている請求項１ないし３のいずれか１項に記載の多重画像表示装置。
【請求項５】
前記制御部は、前記光路制御ユニットの透過モードと拡散モードとを制御し、前記背面表示装置により表示される画像および表示素子により表示される画像を、独立画像、あるいは、重ね合わせた複合画像として表示する請求項４に記載の多重画像表示装置。
【請求項６】
前記光路制御ユニットは、対向して配置された一対の透明な基板と、前記基板間に配置された高分子分散型液晶と、前記高分子分散型液晶に電圧を印加する電極と、を有している請求項１ないし５のいずれか１項に記載の多重画像表示装置。
【請求項７】
前記背面表示装置、光路制御ユニット、および表示素子を収納した密閉空間を規定した筐体を備え、前記筐体は、前記表示素子の表示領域を露出した窓部を有している請求項１ないし６の多重画像表示装置。
【発明の詳細な説明】
【技術分野】
【０００１】
本発明は、一つの画面に複数の画像を重ね合わせて表示可能な多重画像表示装置に関する。
【背景技術】
【０００２】
液晶表示素子を用いた表示装置は、軽量、薄型、低消費電力などの特徴を有するため、ＯＡ機器、情報端末、時計、テレビ等の様々な分野に適用されている。特に、ＴＦＴ（薄膜トランジスタ）素子を用いた液晶表示素子は、高い応答性を有していることから、コンピュータや携帯テレビなど多くの情報を含むデータを表示するディスプレイに用いられている。
【０００３】
近年、情報量の増加に伴い、表示画像に対して一層の高精細化や高速応答性が要求され始めている。また、アミューズメントや車載用のディスプレイでは、透明なパネルに必要な時だけ情報を表示するシースルー型の表示素子の要求が高まっている。
【０００４】
表示素子としては、エレクトロクロミックやエレクトロルミネッセンスなどの着色方式や自発光方式、あるいは、液晶表示素子などの光スイッチング方式がある。前者は信頼性や低透過率などの課題が多く実用化レベルに至っていない。
【０００５】
後者の液晶表示素子は、偏光板やカラーフィルタを用いるため、透過率は１〜１０％程度と低くなる。しかしながら、複数の表示素子が一つの閉空間に配置された覗き込み型表示装置は十分な視認性を有している。パチンコ台などのアミューズメント分野に用いるディスプレイとして、複数の液晶表示素子を重ねて配置し、複数の画像を重ねて表示可能な多重画像表示装置が提案されている。
【０００６】
このような多重画像表示装置において、重ねて配置された複数の液晶表示素子は、それぞれ独立した光源を有している。そして、複数の光源をそれぞれＯＮ／ＯＦＦ制御する等により、表示画像の合成／分離を行っている（例えば、特許文献１）。
【特許文献１】特開２００５−００６９６１号公報
【発明の開示】
【発明が解決しようとする課題】
【０００７】
しかしながら、上記多重画像表示装置のように、各表示素子毎に光源を設けた場合、構造が複雑になるとともに、設置スペースおよび製造コストの増加を招く。また、複数の光源をそれぞれＯＮ／ＯＦＦ制御する場合、画面全体での切り替えとなり、多重画像表示装置が本来持っている表示可能な情報量を十分な形で表示できていない問題がある。
【０００８】
本発明は以上の問題点に鑑みてなされたもので、その目的は、容易に画像の合成／分離を行うことができ、表示可能な情報量の増大を図るこのできる多重画像表示装置を提供することにある。
【課題を解決するための手段】
【０００９】
上記目的を達成するため、この発明の態様に係る多重画像表示装置は、背面側に設けられた背面表示装置と、前記背面表示装置の表示領域に対向して設けられた透過型の表示素子と、背面表示装置と表示素子との間に前記背面表示装置の表示領域および前記表示素子に対向して設けられ、光を透過する透過モードと光を拡散する拡散モードとを任意に制御可能な光路制御ユニットと、を備えている。
【発明の効果】
【００１０】
この発明によれば、多重表示される個々の画像を独立表示または任意の割合で混合表示することができ、表示可能な情報量の増大を図るこの可能な多重画像表示装置を提供することができる。
【発明を実施するための最良の形態】
【００１１】
以下、図面を参照しながら、この発明の実施形態に係る多重画像表示装置について詳細に説明する。  
図１および図２は、多重画像表示装置全体の構成を示している。図１および図２に示すように、多重画像表示装置は、最も背面側に設けられた背面表示装置１０、および背面表示装置の表示領域１０ａに対向して背面表示装置の前面側に設けられた透過型の表示素子１２を備えている。背面表示装置１０と表示素子１２との間には、表示素子１２の光源となる透明なバックライト１６、および光路制御ユニット１８が配設され、背面表示装置の表示領域１０ａおよび表示素子と対向している。光路制御ユニット１８は、光を透過する透過モードと光を拡散する拡散モードとを任意に切換え可能に構成されている。
【００１２】
背面表示装置１０は、表示素子として、液晶表示素子２４と、この液晶表示素子を照明するバックライト２６を有している。図１ないし図３に示すように、液晶表示素子２４はアクティブマトリクス型の液晶表示素子として構成されている。液晶表示素子２４は、カラーフィルタとしての着色層が設けられたアレイ基板３０と、このアレイ基板に所定のセルギャップを置いて対向配置された対向基板４０と、を備え、これらアレイ基板と対向基板との間に液晶層３２が挟持されている。アレイ基板３０および対向基板４０は、表示領域１０ａの外周を囲むように配置されたシール材３３により周縁部同士が接合されている。
【００１３】
対向基板４０は、ガラスからなる透明基板４１上にＩＴＯからなる透明電極４２、配向膜４３を順に形成して構成されている。  
図３に示すように、アレイ基板３０は、ガラスからなる透明基板３４を有し、この透明基板３４上には、図示しない複数の走査線、絶縁膜３５を介して走査線と直交する方向に設けられた複数の信号線３６、走査線と信号線の各交点近傍に接続された図示しないスイッチング素子（ＴＦＴ）等が配置されている。また、透明基板３４上において、表示領域１０ａの外側には、図示しない液晶駆動回路が形成されている。
【００１４】
スイッチング素子および液晶駆動回路を覆うように保護絶縁膜２４が設けられ、更にその上部に、それぞれＹ方向に延びたストライプ状の緑色（Ｇ）の着色層２５Ｇ、青色（Ｂ）の着色層２５Ｂ、赤色（Ｒ）の着色層２５Ｒが配置されている。着色層２５Ｇ、２５Ｂ、２５Ｒ上に多数の画素電極３８がマトリクス状に配置されている。各画素電極３８は、着色層および保護絶縁膜２４に形成された図示しないコンタクトホールおよび上部電極を介してそれぞれ対応するスイッチング素子のソース電極に接続されている。更に、画素電極３８および着色層２５Ｇ、２５Ｂ、２５Ｒを覆うように、透明基板３４全面には配向膜３９が形成されている。
【００１５】
アレイ基板３０の透明基板３４上には、表示領域１０ａの周縁を囲むように、所定幅を持った黒色の着色層からなる矩形状の額縁パターン４４が形成されている。この額縁パターン４４は、他の着色層２５Ｇ、２５Ｂ、２５Ｒよりも厚く形成されている。額縁パターン４４と同時に、画素電極３８上には所望の密度で多数の柱状スペーサ４５が形成されている。シール材３３は、表示領域１０ａの周縁部で額縁パターン４４上に設けられている。
【００１６】
アレイ基板３０および対向基板４０は、シール材３３により周縁部同士が接着されているとともに、これらの基板間のセルギャップは、多数の柱状スペーサ４５によって所定の値に維持されている。
【００１７】
図１に示すように、背面表示装置１０のバックライト２６は、例えば、透明な矩形状の導光板４６、導光板の両側縁にそれぞれ対向して設けられた直線状の光源４７、各光源を覆ったリフレクタ４８、その他、導光板上に形成された図示しない光学シート等を備えている。
【００１８】
導光板４６は、液晶表示素子２４の背面側に対向して、ここでは、アレイ基板３０に隣接対向して設けられている。そして、導光板４６は、光源４７から出射された光を、液晶表示素子２４の全面に向けて照射する。
【００１９】
図１および図２に示すように、表示素子１２は透過型の液晶表示素子として構成されている。表示素子１２は、対向配置されたアレイ基板１５ａおよび対向基板１５ｂと、これらの基板間に挟持された図示しない液晶層とを備えている。その他、表示素子１２は、背面表示装置１０の液晶表示素子２４と同様に構成されている。
【００２０】
光路制御ユニット１８としては、高分子分散型液晶（ＰＤＬＣ）、高分子安定化コレステリック−テクスチャー（ＰＳＣＴ）などのモードを有した液晶素子を用いることができる。これに限らず、基本的には、透明な状態および光を散乱、拡散する不透明な状態の２つの状態を外部から与えられる信号により任意に制御可能な素子であれば光路制御ユニット１８として使用可能である。
【００２１】
図４に示すように、本実施形態によれば、光路制御ユニット１８は高分子分散型液晶（ＰＤＬＣ）素子として構成されている。すなわち、光路制御ユニット１８は、隙間を置いて対向配置された透明な２枚の基板５０ａ、５０ｂを備え、これらの基板間には、例えば、ネマティック液晶を架橋させてポリマー化したネマティック液晶ポリマー層５２が挟持されている。
【００２２】
ネマティック液晶ポリマー層５２の両側には、このネマティック液晶ポリマー層に電界を印加する電極５４ａ、５４ｂが設けられている。これらの電極５４ａ、５４ｂは、基板５０ａ、５０ｂの内面に設けられ、互いに平行に配置されている。電極５４ａ、５４ｂには後述する電源７４から電圧が供給され、液晶分子の長軸方向とほぼ直交する方向に電界を印加する。
【００２３】
ネマティック液晶ポリマー層５２内には、架橋していない、つまり、ポリマーでないネマティック液晶滴５６が設けられている。図４に示すように、電界を印加しない状態において、ネマティック液晶滴５６の液晶分子はドロップレットの界面に沿うように配列し、光を拡散する拡散モードとなる。ネマティック液晶ポリマー層５２に電界が印加されると、図５に示すように、ネマティック液晶滴５６の液晶分子は、その長軸が電界の方向と整列するように、ここでは、基板５０ａ、５０ｂと直交する方向に配列する。これにより、ネマティック液晶ポリマー層５２は光を透過可能となり、透過モードが設定される。
【００２４】
ＰＤＬＣやＰＳＣＴなどの液晶素子を用いる場合、透明な状態、つまり、透過モード、での液晶素子の光透過率を向上するため、液晶層に電界を印加する電極５４ａ、５４ｂの材料にはＩＴＯ、ＩＺＯなどの透明導電膜を用いることが好ましい。液晶素子の全面に渡ってベタに配設された電極を透明導電膜によって構成した場合でも、ネマティック液晶ポリマー層５２を光透過状態と散乱状態とに制御可能である。
【００２５】
また、光路制御ユニット１８の有効領域１８ａの全面、あるいは、有効領域内の所望の領域を部分的に透過モードあるいは拡散モードに設定して、表示する情報量を高める場合には、透明導電膜によりセグメント型の電極構造や単純マトリクス型のストライプ電極を用いることが好ましい。
【００２６】
特に、単純マトリクス型のストライプ電極構造によって任意の領域の透過、散乱を制御する場合、電圧−透過率特性にヒステリシスを示す液晶モードを採用することが好ましい。更に好ましくは、相転移型ＰＳＣＴなどのメモリー性を有する液晶モードを用いることで消費電力の削減などを同時に実現することも可能となる。
【００２７】
光路制御ユニット１８は、表示素子１２の背面側に配置され、表示素子１２の有効領域１２ａと対向している。表示素子１２が液晶表示素子で構成されている場合、光路制御ユニット１８は、透明なバックライト１６と表示素子１２との間に配設されている。また、光路制御ユニット１８をバックライト１６の背面側に設置した場合、一般的な液晶表示装置で用いられているバックライト用の拡散シートとしての働きを与えることができる。
【００２８】
バックライト１６は、表示素子１２と光路制御ユニット１８との間、あるいは、光路制御ユニットと背面表示装置１０との間に設けられている。本実施形態において、バックライト１６は、光路制御ユニット１８と背面表示装置１０との間に設けられ、光路制御ユニットの背面に隣接対向している。バックライト１６は、例えば、透明な矩形状の導光板２０、導光板の両側縁にそれぞれ対向して設けられた直線状の光源２１、各光源を覆ったリフレクタ２２、その他、導光板上に形成された図示しない光学シート等を備えている。導光板２０は透明なアクリル板で構成されている。光源２１としては、冷陰極管やＬＥＤなどの白色光源を用いる。導光板２０は、光源２１から出射された光を、光路制御ユニット１８および表示素子１２の全面に向けて照射する。
【００２９】
図２に示すように、多重画像表示装置は、密閉空間６１を規定した筐体６０を備えている。背面表示装置１０、バックライト１６、光路制御ユニット１８、および表示素子１２は密閉空間６１内に収納されている。但し、最前面に設けられた表示素子１２の有効領域１２ａは、筐体６０に形成された窓部６０ａを介して外部に露出している。
【００３０】
図６は、多重画像表示装置の制御系を示している。制御系は、装置全体の動作を制御するＣＰＵ７０、背面表示装置１０の液晶表示素子２４に設けられたＸドライバ２４ａおよびＹドライバ２４ｂに走査信号および映像信号をそれぞれ供給する画像処理回路７２、電源７４、背面表示装置１０のバックライト２６およびバックライト１６をそれぞれ駆動するドライバ７６を備えている。また、制御系は、光路制御ユニット１８の電極５４ａ、５４ｂに電圧を印加するドライバ７８、光路制御ユニットのモードを制御するユニット制御部８０、更に、表示素子１２に設けられたＸドライバ１３ａ、Ｙドライバ１３ｂに走査信号および映像信号をそれぞれ供給する画像処理回路８２を備えている。
【００３１】
上記のように構成された多重画像表示装置に表示動作について説明する。  
図７は、背面表示装置１０の背面画像のみを表示した場合の表示画面を示している。この場合、背面表示装置１０の液晶表示素子２４には、例えば、自動車の速度情報、走行情報等が表示され、バックライト２６はＯＮ、中間に配置された光路制御ユニット１８は透過モードに設定されている。更に、表示素子１２も透明な状態に設定されている。透明なバックライト１６はＯＮまたはＯＦＦのいずれもよい。
【００３２】
図８は、前面に配置された表示素子１２のみに画像、例えば、地図を表示した場合の表示画面を示している。この場合、光路制御ユニット１８は拡散モードに設定され、バックライト１６はＯＮとなっている。これにより、光路制御ユニット１８およびバックライト２０が一体となって表示素子１２を背面側から照明し、画像を表示する。背面表示装置１０の液晶表示素子２４およびバックライト２６はＯＮまたはＯＦＦのいずれでもよい。
【００３３】
図９は、背面表示装置１０の表示画像と、表示素子１２の表示画像とが任意の割合でオーバーラップした表示画面を示している。この場合、液晶表示素子２４およびバックライト２６はＯＮ状態に設定され通常の表示素子として働き、例えば、地図を表示する。中間に配置された光路制御ユニット１８は、ユニット制御部８０によって電極への印加電圧を制御することにより、背面表示装置１０の表示画像と表示素子１２の表示画像との混合比に従った散乱状態に制御される。光路制御ユニット１８が完全に透明な透過モードに設定されている場合、液晶表示素子２４の画像と前面表示素子１２の画像とは１：１の混合画像となる。
【００３４】
図１０は、背面表示装置１０の表示画像と表示素子１２の表示画像とを部分的に表示した表示画面を示している。この場合、光路制御ユニット１８の内、背面表示装置１０の表示画像を表示する領域８４ａは透過モードに設定され、表示素子１２の画像を表示する領域８４ｂは拡散モードに設定されている。光路制御ユニット１８の散乱強度を変更して部分的に背面表示装置１０の画像と表示素子１２の画像とを混合して表示することも可能である。
【００３５】
以上のように構成された多重画像表示装置によれば、多重表示される個々の画像を独立表示または任意の割合で混合表示することができ、表示可能な情報量を増大することができる。２つ以上の表示装置あるいは表示素子の間に、透過と拡散の二つの状態を任意に制御可能な光路制御ユニットが少なくとも１つ設けられている。そのため、光路制御ユニットを制御することにより、表示素子、表示装置を照らす個々の光源をＯＮ／ＯＦＦ制御する必要がなく、また、表示領域の全面または任意の領域において、画像の合成／分離を行うことができる。従って、表示情報量が向上した多重画像表示装置を提供できる。
【００３６】
次に、この発明の第２の実施形態に係る多重画像表示装置について説明する。図１１は、多重画像表示装置を自動車のインスツルメントパネルに適用した第２の実施形態を示している。インスツルメントパネルには、速度メーター、タコメーター等を含む自動車用のメーター８６が設けられている。メーター８６の下部には、メーター類を照明する側面光源８７が配設されている。これらメーター８６および側面光源８７は背面表示装置１０を構成している。
【００３７】
メーター８６の前面側には、地図情報などを表示する表示素子１２がメーター８６と対向して配置されている。表示素子１２は透過型の液晶表示素子により構成されている。表示素子１２の背面側、つまり、表示素子１２とメーター８６との間には、光源となる透明なバックライト１６が配設されている。バックライト１６と表示素子１２との間には、透過モード、拡散モードを任意に切り替え可能な光路制御ユニット１８が設けられ、表示素子１２およびバックライト１６と対向している。
【００３８】
表示素子１２およびバックライト１６は、前述した第１の実施形態と同一の構成を有している。光路制御ユニット１８には高分子分散型液晶（ＰＤＬＣ）を用いた。この場合、ポリマー前駆体となる反応性アクリル系モノマー材料と反応性アクリル系オリゴマー材料を混合した溶液２０％に対し、液晶材料８０％を加えた混合溶液に、ＵＶ光を照射し液晶／ポリマーの相分離構造を自発的に誘起させてＰＤＬＣ素子を構成した。光路制御ユニット１８の他の構成は、前述した第１の実施形態と同一である。
【００３９】
全ての構成素子は、インスツルメントパネルを構成する筐体６０によって規定された閉空間６１内に配置されている。表示素子１２の表示領域１２ａは、筐体６０に形成された窓部６０ａに露出している。これにより、外部光の影響なく表示素子１２の画像とメーター８６の画像とを高いコントラストを保ったままで合成することが出来た。
【００４０】
図１２は、背面側のメーター８６の画像のみを表示した場合の表示画面を示している。この場合、バックライト８７はＯＮ、中間に配置された光路制御ユニット１８は透過モードに設定されている。表示素子１２は透明な状態に設定されている。透明なバックライト１６はＯＮまたはＯＦＦのいずれもよい。
【００４１】
図１３は、前面に配置された表示素子１２のみに画像、例えば、地図を表示した場合の表示画面を示している。この場合、光路制御ユニット１８は拡散モードに設定され、バックライト１６はＯＮとなっている。これにより、光路制御ユニット１８およびバックライト１６が一体となって表示素子１２を背面側から照明し、画像を表示する。背面表示装置１０のバックライト８７はＯＮまたはＯＦＦのいずれでもよい。
【００４２】
図１４は、メーター８６の表示画像と、表示素子１２の表示画像とが任意の割合でオーバーラップした表示画面を示している。この場合、バックライト８７はＯＮ状態に設定され、中間に配置された光路制御ユニット１８は、ユニット制御部８０によって電極への印加電圧を制御することにより、背面表示装置１０の表示画像と表示素子１２の表示画像との混合比に従った散乱状態に制御される。
【００４３】
図１５は、背面のメーター８６の前面の一部に表示素子１２によって地図を部分表示した表示画面を示している。この場合、光路制御ユニット１８の内、メーター８６の表示画像を表示する領域８４ａは透過モードに設定され、表示素子１２の画像を表示する領域８４ｂは拡散モードに設定されている。
【００４４】
次に、この発明の第３の実施形態に係る多重画像表示装置について説明する。図１６は、多重画像表示装置をスロットマシーンの表示部に適用した第３の実施形態を示している。この表示部は、回転自在に設けられた円筒形状のリール９０と、リールの外周面を照明する光源４７とを有している。リール９０の外周面には、多数の図柄が並んで描写されている。そして、リール９０および光源４７は背面表示装置１０を構成している。
【００４５】
リール９０の前面側には、表示素子１２がリールと対向して配置されている。表示素子１２は透過型の液晶表示素子により構成されている。表示素子１２の背面側、つまり、表示素子１２とリール９０との間には、光源となる透明なバックライト１６が配設されている。バックライト１６と表示素子１２との間には、透過モード、拡散モードを任意に切り替え可能な光路制御ユニット１８が設けられ、表示素子１２およびバックライト１６と対向している。
【００４６】
表示素子１２およびバックライト１６は、前述した第１の実施形態と同一の構成を有している。光路制御ユニット１８として、メモリー性が良好な高分子安定化コレステリック−テクスチャー（ＰＳＣＴ）を用いた。光路制御ユニット１８の他の構成は、前述した第１の実施形態と同一である。
【００４７】
上述した全ての構成要素は、スロットマシーンの筐体６０によって規定された閉空間６１内に配置されている。これにより、外部光の影響を受けることない高コントラストな独立、合成画像を得ることができた。
【００４８】
図１７は、背面側のリール９０の画像のみを表示した場合の表示画面を示している。この場合、バックライト４７はＯＮ、中間に配置された光路制御ユニット１８は透過モードに設定されている。表示素子１２は透明な状態に設定されている。透明なバックライト１６はＯＮまたはＯＦＦのいずれもよい。
【００４９】
図１８は、背面のリール９０の画像と表示素子１２の画像とを合成した表示画面を示している。この場合、光路制御ユニット１８の内、リール９０の表示画像を表示する領域８４ａは透過モードに設定され、表示素子１２の画像を表示する領域８４ｂは拡散モードに設定されている。
【００５０】
図１９は、前面に配置された表示素子１２のみに画像を表示した場合の表示画面を示している。この場合、光路制御ユニット１８は拡散モードに設定され、バックライト１６はＯＮとなっている。これにより、光路制御ユニット１８およびバックライト１６が一体となって表示素子１２を背面側から照明し、画像を表示するとともに背面白画面を表示している。
【００５１】
以上のように構成された第２および第３の実施形態によれば、前述した第１の実施形態と同様の作用効を得ることができる。従来、透明なバックライトだけの構成では、背面表示装置の光源をＯＦＦにした時にのみ、表示素子１２の画像を独立して表示することができる。しかし、この場合、背面は必ずクロ表示となることから、本来多重画像表示装置が持つ十分な表示性能を引き出すことが困難となる。
【００５２】
一方、本実施形態に係る多重画像表示装置によれば、透明なバックライト１６の前面（または背面）に設けた光路制御ユニット１８によって、明るい拡散光を表示素子１２のバックライトとして用いることができる。そのため、表示素子１２を独立して表示した場合でも白背面を用いることができ、従来の２倍以上の情報量を表示することができた。
【００５３】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
上述した実施形態において、透明なバックライトは光路制御ユニットと背面表示装置との間に設けたが、光路制御ユニットと前面側の表示素子との間に配置してもよい。
【図面の簡単な説明】
【００５４】
【図１】図１は、この発明の第１の実施形態に係る多重画像表示装置を示す分解斜視図。
【図２】図２は、上記多重画像表示装置の筐体を破断して示す側面図。
【図３】図３は、上記多重画像表示装置における背面表示装置を示す断面図。
【図４】図４は、上記多重画像表示装置における光路制御ユニットを示す断面図。
【図５】図５は、透過モードにおける上記光路制御ユニットを示す断面図。
【図６】図６は、上記多重画像表示装置の制御系を示すブロック図。
【図７】図７は、上記多重画像表示装置において、背面画像のみを表示した状態を示す図。
【図８】図８は、上記多重画像表示装置において、前面側表示素子の画像のみを表示した状態を示す図。
【図９】図９は、上記背面画像および前面画像を合成して表示した状態を示す図。
【図１０】図１０は、上記背面画像と表示素子の表示画像とを部分的に表示した状態を示す図。
【図１１】図１１は、この発明の第２の実施形態に係る多重画像表示装置を示す側面図。
【図１２】図１２は、上記第２の実施形態に係る多重画像表示装置において、背面画像のみを表示した状態を示す図。
【図１３】図１３は、上記第２の実施形態に係る多重画像表示装置において、前面側表示素子の画像のみを表示した状態を示す図。
【図１４】図１４は、上記第２の実施形態に係る多重画像表示装置において、背面画像および前面画像を合成して表示した状態を示す図。
【図１５】図１５は、上記第２の実施形態に係る多重画像表示装置において、上記背面画像と表示素子の表示画像とを部分的に表示した状態を示す図。
【図１６】図１６は、この発明の第３の実施形態に係る多重画像表示装置を示す側面図。
【図１７】図１７は、上記第３の実施形態に係る多重画像表示装置において、背面画像のみを表示した状態を示す図。
【図１８】図１８は、上記第３の実施形態に係る多重画像表示装置において、背面画像および前面画像を合成して表示した状態を示す図。
【図１９】図１９は、上記第３の実施形態に係る多重画像表示装置において、前面側表示素子の画像のみを表示した状態を示す図。
【符号の説明】
【００５５】
１０…背面表示装置、  １２…表示素子、  １６、２６…バックライト、
１８…光路制御ユニット、  ２１、４７，８７…光源、２４…液晶表示素子、
５０ａ、５０ｂ…基板、  ５４ａ、５４ｂ…電極、  ６０…筐体、  ６１…密閉空間、
７４…電源、  ８０…ユニット制御部、
【図１】
2007094038.tif 000003
【図２】
2007094038.tif 000004
【図３】
2007094038.tif 000005
【図４】
2007094038.tif 000006
【図５】
2007094038.tif 000007
【図６】
2007094038.tif 000008
【図７】
2007094038.tif 000009
【図８】
2007094038.tif 000010
【図９】
2007094038.tif 000011
【図１０】
2007094038.tif 000012
【図１１】
2007094038.tif 000013
【図１２】
2007094038.tif 000014
【図１３】
2007094038.tif 000015
【図１４】
2007094038.tif 000016
【図１５】
2007094038.tif 000017
【図１６】
2007094038.tif 000018
【図１７】
2007094038.tif 000019
【図１８】
2007094038.tif 000020
【図１９】
2007094038.tif 000021